(57)【特許請求の範囲】
【請求項１】
高インピーダンス状態（ＨＺ）に設定可能であり、かつ、非ゼロの内部抵抗器を持つ、トライステート二進ポート（Ｐ１−Ｐ７）を有する制御回路（２）によって、コイル（１１）を有する誘導性アンテナ回路（１０）のアンテナ信号（Ｓａ）の振幅を変調する方法において、
アンテナ回路（１０）を、前記制御回路（２）の少なくとも２つの二進ポート（Ｐ１−Ｐ４）の出力により供給され、かつ前記それぞれのポートにより供給される電力供給信号（Ｓｐ１、Ｓｐ２、Ｓｐ３、Ｓｐ４）の組み合わせである電力供給信号（Ｓｐ）によって電気的に電力供給し、
前記アンテナ回路（１０）の電力供給信号（Ｓｐ）を与えるすべての前記二進ポート（Ｐ１−Ｐ４）を“１”に設定して、前記アンテナ回路に全電力レベルを供給し、かつ、
前記電力供給信号（Ｓｐ）を与える前記二進ポート（Ｐ１−Ｐ４）の少なくとも一つの状態を変化させ、
ここで、前記二進ポート（Ｐ１−Ｐ４）の少なくとも１つの状態を変化させると、前記二進ポート（Ｐ１−Ｐ４）の出力により供給される電力供給信号（Ｓｐ）の振幅が変調され、前記アンテナ信号（Ｓａ）の振幅が変調される、かつ、
前記アンテナ信号の１００％変調のために、前記アンテナ回路（１０）の電力供給を与える二進ポート（Ｐ１−Ｐ４）を“０”に設定し、
前記アンテナ信号振幅の１００％未満の変調のために、少なくとも一つの二進ポート（Ｐ２−Ｐ４）を高インピーダンス状態（ＨＺ）に設定し、他のポートまたは複数ポート（Ｐ１）は“１”に維持する、
ことを特徴とする方法。
【請求項２】
請求項１に記載の方法において、
前記アンテナ信号（Ｓａ）を、前記コイル（１１）の端子に接続された、かつ交流信号（Ｓ１）により制御されるスイッチ手段（４）によって前記交流信号の周波数で発振せしめる、
ことを特徴とする方法。
【請求項３】
誘導性結合によりデータを送信する装置（２０、３０）において、
アンテナ信号（Ｓａ）が通過するコイル（１１）を備えた誘導型アンテナ回路（１０）、および、
高インピーダンス状態（ＨＺ）に設定可能であり、かつゼロでない内部抵抗を持つトライステート二進ポート（Ｐ１−Ｐ７）を有する前記アンテナ回路（１０）の制御回路（２）を備え、ここで、
前記アンテナ回路（１０）は、前記制御回路（２）の少なくとも２つの二進ポート（Ｐ１−Ｐ４）の出力により供給される、かつ前記ポートのおのおのにより供給される電力供給信号（Ｓｐ１、Ｓｐ２、Ｓｐ３、Ｓｐ４）の組み合わせである電力供給信号（Ｓｐ）により電力供給され、かつ、
前記制御回路（２）は、
前記アンテナ回路（１０）の電力供給信号（Ｓｐ）を与えるすべての前記二進ポート（Ｐ１−Ｐ４）を“１”に設定して、前記アンテナ回路に全電力レベルを供給し、かつ、
前記電力供給信号（Ｓｐ）を与える前記二進ポート（Ｐ１−Ｐ４）の少なくとも一つの状態を変化させて、前記アンテナ信号（Ｓａ）の振幅を変調する、
ように構成され、
かつここで、前記電力供給信号（Ｓｐ）を与える前記二進ポート（Ｐ１−Ｐ４）の少なくとも一つの状態を変化させると、前記二進ポート（Ｐ１−Ｐ４）の出力により供給される電力供給信号（Ｓｐ）の振幅が変調され、前記アンテナ信号（Ｓａ）の振幅が変調される、かつ、
前記アンテナ信号の１００％変調のために、前記アンテナ回路（１０）の電力供給を与える二進ポート（Ｐ１−Ｐ４）を“０”に設定し、
前記アンテナ信号振幅の１００％未満の変調のために、少なくとも一つの二進ポート（Ｐ２−Ｐ４）を高インピーダンス状態（ＨＺ）に設定し、他のポートまたは複数ポート（Ｐ１）は“１”に維持する、
ことを特徴とする装置。
【請求項４】
請求項３に記載の装置において、
交流信号（Ｓ１）を供給する発振器（３）、および前記アンテナコイル（１１）の端子に配置された前記交流信号（Ｓ１）により制御されて、前記アンテナ信号（Ｓａ）を、前記交流信号の周波数で発振させるスイッチ手段（４）、
を備えたことを特徴とする装置。
【請求項５】
請求項４に記載の装置において、
第一端子上の前記アンテナ信号（Ｓａ）内にある電荷変調信号（Ｓｘ）を受けるよう配置された、かつ、そのおのおのがそれらの他の端子により前記制御回路（２）のポート（Ｐ５，Ｐ６）にそれぞれ接続された、帯域通過フィルタ（３１）および低域通過フィルタ（３２）、
を備えたことを特徴とする装置。
【請求項６】
請求項５に記載の装置において、
前記制御回路（２）は、前記フィルタに接続されたポートを“１”に選択されるように設定することにより、かつ、他のフィルタに接続されたポートを高インピーダンス状態に設定することにより、前記フィルタ（３１，３２）のうちの１つを選択するように配置されている、
ことを特徴とする装置。
【発明の詳細な説明】
【０００１】
本発明は、アンテナ信号によって駆動される誘導アンテナ回路と、高インピーダンスに設定可能でゼロでない内部抵抗器を持つ二進ポートを備えた制御回路を有する誘導結合データ伝送装置に関する。
【０００２】
特に、本発明は、遠隔操作可能なスマートカード読取り機，電子ラベル走査器，電子バッジ走査器のような、遠隔操作可能な集積回路を有する携帯可能な電子性対象物とデータを交換するよう設計された装置に関する。
【０００３】
ドラフト規格ＩＳＯ１４４４３−２／Ａまたは１４４４３−２／Ｂ（以下、“ＩＳＯ／Ａ”，“ＩＳＯ／Ｂ”と言う）によると、遠隔操作可能な集積回路読取り機のアンテナコイルは、周波数１３．５６ＭＨｚで発振しているアンテナ信号によって駆動される。集積回路へのデータ伝送は、規格ＩＳＯ／Ａの場合１００％、規格ＩＳＯ／Ｂの場合は１０％の変調度で、アンテナ信号の振幅を変調することによって行なわれる。
【０００４】
図１は、マイクロプロセッサ２，発振器３，変調トランジスタ４と共鳴型アンテナ回路１０を有する従来のデータ伝送装置１を表わす。アンテナ回路１０は、キャパシタ１２と平行なアンテナコイル１１を有し、誘導子１３や絶縁キャパシタ１４を通して直流電圧ＶＤＤを受ける。変調トランジスタ４は、絶縁キャパ
シタによってコイル１１の端子に接続されている。発振器３は、１３．５６ＭＨｚで発振している信号Ｓ１を出し、マイクロプロセッサ２は、振幅変調二進信号Ｓ２をポートＰ１へ出す。信号Ｓ１とＳ２は、図１に示されているトランジスタ４のゲートに適用された変調信号Ｓ３を出すＡＮＤゲート５に適用される。コイル１１を通過するアンテナ信号Ｓａは、信号Ｓ３の画像である。
【０００５】
このデータ伝送装置の利点は、構造が比較的単純であるが、このデータ伝送装置は、唯一アンテナ信号の振幅が１００％（ＩＳＯ／Ａ）で変調されるのを可能にする。アンテナ信号Ｓａ（ＩＳＯ／Ｂ）の１０％の変調を得るには、装置はより複雑化し、他の要素が装置に追加されなければならない。
【０００６】
もし装置が、二つの異なるタイプの集積回路にデータを伝送できるよう、規格ＩＳＯ／ＡとＩＳＯ／Ｂに両立式であるべきなら、装置は更に複雑化する。この場合、図２に示されているように、変調スイッチ４は、ブロック形式で表わされた変調回路９によって置き換えられる。変調回路９は、信号Ｓ１，Ｓ２と、必要とされるタイプの変調が選択されるのを可能にする、マイクロプロセッサのポート２によって出された信号ＳABを受信する。この変調回路９を達成するには、様々な電気そして／または電子構成要素が必要となる。
【０００７】
それゆえに、本発明の目的は、構造が単純で生産するのに安価であるが、アンテナ信号を１００％未満の変調度で変調することができる、上記のタイプのデータ伝送装置を提供することである。
【０００８】
本発明の更に特別な目的は、多目的使用が可能でアンテナ信号をいくつかの変調度、特に１０％と１００％の変調度で変調することができるデータ伝送装置を提供することである。
【０００９】
本発明はまた、電荷変調方法による遠隔操作可能な集積回路によって送信されたデータを受信することに関する。この場合、上記のデータ伝送装置のコイル１１が、アンテナ信号Ｓａと混合されている、誘導結合による電荷変調信号を受信する。電荷変調信号はアンテナ信号Ｓａから抽出され、また復号化される前に適切なフィルタリングによって復調されなければならない。周知の復調およびフィルタリングシステムは、もしそれらがいくつかの電荷変調プロトコル、特に規格ＩＳＯ／ＡやＩＳＯ／Ｂによって規定された電荷変調プロトコルと両立式であるべきなら複雑であるという点で不便である。
【００１０】
このように、本発明のもう一つの目的は、構造が単純で生産するのに安価であるが、いくつかの電荷変調プロトコルと両立式である復調装置を提供することである。
【００１１】
これらの目的を達成するために、本発明は、高インピーダンス状態に、そしてゼロでない内部抵抗器と設定可能な二進ポートを有する制御回路によって、コイルを有する誘導アンテナ回路のアンテナ信号の振幅を変調するための方法と、アンテナ回路が制御回路の少なくとも二つのポートによって電力化され、また、アンテナ回路に全出力レベルで供給するよう、アンテナ回路に電気を供給しているポートを“１”に設定する段階と、アンテナ信号の振幅を変調するよう、アンテナ回路に電気を供給しているポートの少なくとも一つの状態を変える段階とを有する方法を提供する。
【００１２】
ある実施の形態によると、アンテナ回路に電力を供給しているポートは、アンテナ信号の１００％変調のために、“０”に設定される。
【００１３】
ある実施の形態によると、少なくとも一つのポートは、他のポートあるいは複数のポートが“１”に維持されているけれども、１００％未満のアンテナ信号振幅の変調のために、高インピーダンス状態に設定される。
【００１４】
ある実施の形態によると、アンテナ信号はまた、コイルの端子に接続され、代替信号によって制御されたスイッチ手段による周波数で変調される。
【００１５】
本発明はまた、アンテナ信号が通過するコイルを備えた誘導型アンテナ回路、高インピーダンスに、またゼロでない内部抵抗器と設定可能な二進ポートを備えたアンテナ回路の制御回路を有する誘導結合データ送信装置に関し、アンテナ回路は、制御回路の少なくとも二つのポートによって電力化され、また、制御回路は本発明の方法に従ってアンテナ信号の振幅を変調するよう配備されている。
【００１６】
ある実施の形態によると、装置は、交流信号を発する発振器、および、アンテナ信号の周波数を変調するようアンテナコイルの端子に配置された、前記交流信号により制御されるスイッチ手段を有する。
【００１７】
本発明はまた、第一端子のアンテナ信号に含まれている電荷変調信号を受信するよう配備され、それぞれが他の端子によって制御回路のポートに接続された帯域フィルタと低域フィルタを有する、上記のタイプのデータ送信/受信装置に関する。
【００１８】
本発明のこれらの、また他の特徴が、以下の本発明によるデータ伝送方法や装置、そして本発明によるデータ受信装置の説明において、以下の図面に関連して、更に詳しく提示される。
【００１９】
（本発明の第１面：アンテナ信号変調）
図３は、本発明によるデータ伝送装置２０を表わす図面であり、その構造は、図２における装置の構造と非常によく似ている。装置２０は、アンテナ回路１０，電圧ＶＤＤによって電力を供給されたマイクロプロセッサ２，信号Ｓ１を１３．５６ＭＨｚで出す発振器３と絶縁キャパシタ１４によってコイル１１の端子に接続された変調スイッチ４を含む。マイクロプロセッサ２は、“１”（電圧ＶＤＤ），“０”（ポートのグラウンドへの出力）または高インピーダンス状態に設定可能な二進ポートＰ１ないしＰ７を有する。最後に、マイクロプロセッサ２には、特に、アンテナ信号Ｓａの振幅を変調することによって送信されるべきデータＤＴａを含むメモリ２１と、マイクロプロセッサ操作システムＯＳが備えられている。
【００２０】
本発明によると、アンテナ回路１０の電力は、平行に繋がれたいくつかのマイクロプロセッサポート、ここではポートＰ１，Ｐ２，Ｐ３，Ｐ４によって供給されている。ポートＰ１ないしＰ４は、各ポートによって出された信号Ｓｐ１，Ｓｐ２，Ｓｐ３，Ｓｐ４の組合せであり、また、上記の誘導子１３やキャパシタ１４によってアンテナ回路１０に適用される電力供給信号Ｓｐを出す。誘導子１３あるいは“衝撃”誘導子は、ポートＰ１ないしＰ４を過電圧から保護し、キャパシタ１４は、コイル１１を直流電流から絶縁する。ここでは、変調スイッチ４は、前実施例の場合のように、信号Ｓ１によって制御されており、マイクロプロセッサによって出された振幅変調信号を受信しない。
【００２１】
本発明の方法によると、四つのポートＰ１ないしＰ４は、アンテナ回路１０に全出力レベルで供給するよう、状態“１”（ポート１に存在する電圧ＶＤＤ）に維持される。アンテナ信号Ｓａの振幅は、電力供給信号Ｓｐそれ自体の振幅を変調することによって変調され、電力供給信号Ｓｐの振幅は、ポートＰ１ないしＰ４の全てまたは一部の状態を変えることによって変調される。
【００２２】
本発明のこの面を更に詳しく説明する前に、図４に関連して、一つのマイクロプロセッサポートＰｉは、一般に、ゼロでない内部抵抗器Ｒｉを備え、二つのスイッチＳｗ１，Ｓｗ２と抵抗器Ｒｉを直列に有する給電線によって単純化された方法で示し得るということに気付く。スイッチＳｗ１は、ポートＰｉの出力が電力供給電圧ＶDD（論理“１”）またはグラウンド（論理“０”）に設定されることを可能にする。スイッチＳｗ２は、ポートＰｉの出力を高インピーダンス状態ＨＺに設定するために、スイッチＳｗ１が切断されることを可能にする。抵抗器Ｒｉは、ポートＰｉの内部抵抗器を表わし、ポートによって出力される電流の関数である電圧降下を起こす。
【００２３】
具体例として、図５は、Ｍｉｃｒｏｃｈｉｐ  ＴｅｃｈｎｏｌｏｇｙTM  Ｉｎｃ．社によって販売され、本発明を評価するために出願人によって使われた、マイクロプロセッサＰＩＣ１６Ｃ６ＸのポートＰMTの論理図を表わす。ポートＰMTは、マイクロプロセッサのデータバスＤＢＵＳによって、また、ポートライトＷＲＰ、およびポート高インピーダンス設定ＷＲＴ信号によって制御される二つのラッチＤＬおよびＴＬを有する。ポートの出力は、直列に並んだ二つの出力トランジスタＰＭＯＳとＮＭＯＳの中間点でサンプリングされ、電圧ＶDDによって電力供給され、ラッチＤＬ，ＴＬの出力Ｑまたは／Ｑによって制御される。ここで、ポートの内部抵抗器Ｒｉは、それが伝送状態にあるとき（１へのポート出力）、トランジスタＰＭＯＳの抵抗器である。
【００２４】
それゆえ、図３を参照して、アンテナ信号Ｓａの変調は、Ｐ１ないしＰ４のポートを全て０に設定するか、または、ある（複数）ポートを高インピーダンスに設定し、他の（複数）ポートを１に維持することによって得られる。第一の場合は、電力供給信号Ｓｐはゼロであり、かつ、アンテナ信号Ｓａの振幅は１００％（規格ＩＳＯ／Ａ）で変調される。第二の場合は、より相当な電流が１に維持されたポートを通過し、それらの内部抵抗器Ｒｉは、アンテナ信号Ｓａの振幅変調が１００％未満であるように、電力供給信号Ｓｐの電圧をして、それらをキャンセルしてしまうことなく降下せしめる。
【００２５】
実際に、高インピーダンスに設定されるべきポートの数は、求められる変調深さ、および使用されるポートの電気特性に依存する。５Ｖの電圧ＶDDによって電力供給されるマイクロプロセッサＰＩＣ１６Ｃ６Ｘ、および１３．５６ＭＨｚで約２５０Ωのオーダーの典型的なインピーダンスを持つアンテナ回路１０を用いて、出願人によって行なわれた実験は、規格ＩＳＯ／Ｂに従って約１０％のオーダーのアンテナ信号Ｓａ振幅変調を得るためには、４ポートのうち３ポートは、高インピーダンスに設定されなければならないことを示した。更に詳細には、ポートＰ１ないしＰ４が“１”にあるときは、各ポートを通過する電流は、約５ｍＡのオーダーにあり、これは約２０ｍＡのアンテナ電流を表わす。アンテナ回路に印加される電圧は、約４．７７５Ｖのオーダーにある。４ポートのうちの３ポート、例えばＰ２ないしＰ４、が高インピーダンスに設定されて、ポートＰ１が、１に維持される場合、ポートＰ１を通過する電流は約１５ｍＡのオーダーにあり、アンテナ回路に印加される電圧は約４．３Ｖのオーダーにあり、すなわち、アンテナ信号Ｓａの振幅変調は、１０％のオーダーにある。
【００２６】
このように、図３における装置２０は、構造が特別に単純であるが、ポートＰ１ないしＰ４が制御される方法次第で規格ＩＳＯ／ＡとＩＳＯ／Ｂに応じることができるという利点を持つ。
【００２７】
より良い理解のために、図６Ａないし６Ｇのタイミング図は、規格ＩＳＯ／Ａによるデータ伝送のためのポートＰ１ないしＰ４の制御プロトコルを示し、図７Ａないし７Ｇのタイミング図は、規格ＩＳＯ／Ｂによるデータ伝送のためのポートＰ１ないしＰ４の制御プロトコルを示している。図６Ａ，７Ａは、単に例として与えられた値のビット列によって構成された、伝送されるべき論理信号ＤＴａを表わす。図６Ｂないし６Ｅ，７Ｂないし７Ｅは、信号Ｓｐ１ないしＳｐ４を表わす。図６Ｆ，７Ｆは、信号Ｓｐを表わす。最後に、アンテナコイル５によって発せられた磁界ＦＬＤの様相が図６Ｇ，７Ｇに示されている。図６Ｂないし６Ｆ，７Ｂないし７Ｆのタイミング図においては、高インピーダンス状態が架空の論理レベルＨＺによって表わされている。
【００２８】
図６Ａないし６Ｇにおいて、磁界ＦＬＤは、ビット“１”の伝送の間に全出力レベルで発せられ、信号Ｓｐは約５Ｖであることが確かめられる。ビット“０”は、ポートＰ１ないしＰ４を同時に０に（信号Ｓｐ１ないしＳｐ４を０に）設定することによって得られた、信号Ｓｐの短パルス“０”によって符号化される。信号Ｓｐの一つのパルス“０”は、アンテナコイル１１（１００％変調）によって発せられた磁界ＦＬＤにおいて短い中断を起こす。
【００２９】
図７Ａないし７Ｇにおいて、磁界ＦＬＤはまた、ビット“１”の伝送の間に全出力レベルで発せられる。一方、ビット“０”は、ビットの時間Ｔの間中、信号Ｓｐの１０％振幅変調によって符合化され（符号化ＮＲＺ）、Ｔは信号ＤＴａの二進周期である。１０％変調は、ポートＰ１を１に維持することにより、また、ポートＰ２，Ｐ３，Ｐ４を高インピーダンス（状態ＨＺにおける信号Ｓｐ２，Ｓｐ３，Ｓｐ４）に設定することによって確保される。信号Ｓｐの１０％変調は、信号Ｓｐがアンテナ回路１０の電力供給信号であるため、磁界ＦＬＤの１０％変調を起こす。
【００３０】
上記の数値的な値や制御の組合せが、例にすぎないことが理解されるだろう。当業者は、使用されるマイクロプロセッサの特徴，観測される変調率やアンテナ回路のインピーダンス次第で、多かれ少なかれポートを用いて発明を実行すべきである。もし必要ならば、単一ポートは、考慮された適用や必要とされる会話距離によって定義される、ポートが磁界の最大放射強度を達成するのに十分な電流を出し得ることを規定した、規格ＩＳＯ／Ａに順応するだけの装置を達成するには十分であることを証明してもよい。
【００３１】
更に、本発明の実施の形態の例は、商業用マイクロプロセッサを使ってこれまで説明されたが、上記特徴を備えたいかなるタイプの制御回路も、本発明を達成するために使用可能である。特に、本発明は、“ＡＳＩＣ”（“Assigned Specific Integrated Circuit”）タイプの特殊な集積回路によって実行可能である。この特殊な集積回路は、マイクロプロセッサまたは、マイクロプロセッサポートの構造と同等の構造を持った“ポート”タイプのスイッチ線を有するプログラムできる論理回路を含む可能性がある。この場合、アンテナ信号変調に用いられたマイクロプロセッサポートまたは“ポート”タイプのスイッチ線は、特殊回路のみがアンテナ回路を制御するための一つの出力接触スタッドを持つように、特殊な集積回路の内部に接続可能である。
【００３２】
（本発明の第２面：誘導結合によって伝送された信号を受信するための回路の実施の形態）
本発明のもう一方の面によると、マイクロプロセッサのポートはまた、単純な方法で、いくつかのコミュニケーションプロトコル、特にプロトコルＩＳＯ／ＡやＩＳＯ／Ｂを使用している集積回路によって送信されたデータを受信するのに使われる、能動フィルタリングシステムを達成するのに用いられる。
【００３３】
図８は、本発明のこの面を利用する、誘導結合データ送信／受信装置３０を表わす。装置３０は、同じ参照符によって表わされた、図３の装置２０と同じ構成要素と、以下で説明されるデータ受信手段を有する。これらの受信手段の目的は、遠隔操作可能な集積回路４０によって送信されるアンテナ信号Ｓａから電荷変調信号を抽出することである。
【００３４】
図８に表わされたこの集積回路４０は、アンテナ回路４１と電荷変調システムを有する。アンテナ回路４１は、アンテナコイル４２とキャパシタ４３を並列に有する。電荷変調システムは、例えば、スイッチ４４とコイル４２の端子に接続された抵抗器４５を直列に有する。スイッチ４４は、伝送されるよう入力でデータＤＴｘを受信する、符号化回路４６によって出された変調信号Ｓｘによって制御される。コイル１１と４２が十分に近い場合、信号Ｓｘは、アンテナ信号Ｓａの構成要素を形成するよう、コイル１１における誘導結合によって送られる。信号Ｓｘは、従来の方法で、周波数８４７ＫＨｚの代替または副搬送波構成要素を有し、マイクロプロセッサ２によってまたはいかなる他の適切な復号化手段によっても復号化される前に、信号Ｓａから抽出され、復調されなければならない。
【００３５】
本発明によると、受信手段は、周波数８４７ＫＨｚに設定された帯域フィルタ３１と、遮断周波数８４７ＫＨｚを持った低域フィルタ３２を有する。ここで、帯域フィルタ３１は、誘導子，キャパシタ，抵抗器とダイオードを並列に有し、低域フィルタは、抵抗器とキャパシタを並列に有する。各フィルタ３１，３２は、その端の一つによってマイクロプロセッサ２のポート、それぞれＰ５とＰ６に接続されている。フィルタ３１，３２のもう一方の端は、共通接続点３３−１に接続されている。接続点３３−１は、ここでは接続点３３−１に接続されたそのドレインとグラウンドに接続されたそのソースを備えたトランジスタＦＥＴの形式である増幅素子３３の出力に接続されている。接続点３３−１はまた、増幅器３３−２や“トリガ”または差動増幅器タイプの単一変換装置３３−３によってマイクロプロセッサのポートＰ７に接続されている。アンテナ信号Ｓａが通過するアンテナコイル１１は、その出力が、いかなる構成要素も１３．５６ＭＨｚで除去するよう約１メガヘルツの遮断周波数を備えた低域フィルタ３５に適用される半波整流器に接続されている。フィルタ３５の出力は、キャパシタ３６やプルダウン抵抗器３７によって、増幅素子３３（ここではトランジスタＦＥＴのゲート）の入力に適用される。
【００３６】
それゆえ、増幅素子３３は、低域フィルタ３５によってアンテナ信号Ｓａから抽出される電荷変調信号Ｓｘを入力で受信する。ポートＰ５，Ｐ６が高インピーダンスである場合、フィルタ３１，３２は切断され（開回路で）、接続点３３−１は高インピーダンスである。他のポートは高インピーダンスに維持されているが、ポートＰ５，Ｐ６が１に設定される場合、対応するフィルタ３１，３２はスイッチが入れられ、信号Ｓｘのエンベロープは、副搬送波を除去することによって抽出可能である。信号Ｓｘのエンベロープは、増幅器３３−２によって増幅され、トリガ３３−３によって変換された後、復号化されるようマイクロプロセッサのポートＰ７へ送信される。
【００３７】
本発明による装置３０は、様々な伝送プロトコルに従って送信されてきたデータが受信されるようにするけれども、単純であるという利点を持ち、それらに電力供給をするけれども、フィルタ３１，３２を切り替えているポートＰ６とＰ７の機能を持つ。例えば、マイクロプロセッサ２は、信号Ｓｘがマンチェスター（規格ＩＳＯ／Ａ）を符号化した周波数８４７ＫＨｚの副搬送波である場合、ポートＰ６を“１”に設定することによって低域フィルタを選択し、起動させる。マイクロプロセッサ２は、信号ＳｘがＢＰＳＫ（“Binary Phase Shift Keying”）を符号化した周波数８４７ＫＨｚの副搬送波である場合、帯域フィルタを選択し、起動させる。
【００３８】
一般的に、低域フィルタ３２は、いかなるタイプの信号Ｓｘの周波数も、その周波数がより低いか８４７ＫＨｚに等しい場合、信号Ｓｘが副搬送波なく二進信号である場合も含めて、復調されるのを可能にする。帯域フィルタ３１は、信号Ｓｘが符号化されたＢＰＳＫであり、周波数が８４７ＫＨｚであるとき、より顕著に信号Ｓｘの位相復調をする。
【００３９】
他のフィルタが提供され、マイクロプロセッサの他のポートに接続可能であることが理解されるであろう。更に、１３．５６ＭＨｚや８４７ＫＨｚの周波数は、ドラフト規格ＩＳＯ１４４４３−２によって記述された例として与えられているに過ぎない。
【００４０】
一般的に、本発明の二つの面は、互いに独立している。しかしながら、それらの並置は、多目的遠隔操作可能な集積回路読取り機が低コストで達成されるようにする。本発明の最後の目的は、電子財布，テレホンカード，電子輸送チケット，物体認知（電子ラベル），アクセス制御（電子バッジ）のような“一般社会”の用途における、遠隔操作可能な集積回路の使用を奨励し、促進することである。
【図面の簡単な説明】
【図１】   従来の誘導データ伝送装置の配線図である。
【図２】  従来の誘導データ伝送装置の配線図である。
【図３】  本発明によるデータ伝送装置の配線図である。
【図４】  マイクロプロセッサポートの配線図である。
【図５】  マイクロプロセッサポートの論理図である。
【図６】  ６Ａないし６Ｇは、本発明の方法の第一面に従って、図３の装置において発生している様々な信号を表す。
【図７】  ７Ａないし７Ｇは、本発明の方法の第二面に従って、図３の装置において発生している様々な信号を表す。
【図８】  本発明によるデータ送信／受信装置の配線図である。
【図１】
0004776079.tif 000002
【図２】
0004776079.tif 000003
【図３】
0004776079.tif 000004
【図４】
0004776079.tif 000005
【図５】
0004776079.tif 000006
【図６】
0004776079.tif 000007
【図７】
0004776079.tif 000008
【図８】
0004776079.tif 000009